(57)【特許請求の範囲】
【請求項１】
情報伝送方法であって、
現在検出された通信事業者の無線通信ネットワークの少なくとも一つのネットワークＩＤを端末が取得するステップと、
現在利用しているＳＩＭカードのネットワークＩＤが前記取得された少なくとも一つのネットワークＩＤのいずれとも異なり、かつ前記少なくとも一つのネットワークＩＤに対応する前記無線通信ネットワークに対する前記ＳＩＭカードの身元情報と暗号化データがローカルに記憶されていなければ、端末は、ローカリティがローミング状態であると判定し、取得された少なくとも一つのネットワークＩＤを乗せたＳＩＭカード情報要求をサーバへ送信するステップと、
前記少なくとも一つのネットワークＩＤのうちの第１ネットワークＩＤに対応する無線通信ネットワークに対する第１ＳＩＭカードの身元情報及び暗号化データを端末が前記サーバから受信するステップと、
端末が前記第１ＳＩＭカードの前記身元情報及び前記暗号化データにより前記第１ネットワークＩＤに対応する無線通信ネットワークに加入することで、情報伝送を行うステップと、を含むことを特徴とする情報伝送方法。
【請求項２】
現在検出された通信事業者の無線通信ネットワークの少なくとも一つのネットワークＩＤを取得するステップは、
自己位置が変化し、かつ変化距離が予め設定された閾値を超えたことが検出されると、現在検出された通信事業者の無線通信ネットワークの少なくとも一つのネットワークＩＤを取得するステップを含むことを特徴とする請求項１に記載の情報伝送方法。
【請求項３】
現在検出された通信事業者の無線通信ネットワークの少なくとも一つのネットワークＩＤを取得するステップは、
予め設定された検出周期に達すると、現在検出された通信事業者の無線通信ネットワークの少なくとも一つのネットワークＩＤを取得するステップを含むことを特徴とする請求項１に記載の情報伝送方法。
【請求項４】
前記少なくとも一つのネットワークＩＤに対応する前記無線通信ネットワークのプロパティ情報を前記サーバから受信するステップと、
前記少なくとも一つのネットワークＩＤに対応する前記無線通信ネットワークの前記プロパティ情報を表示するステップと、
前記少なくとも一つのネットワークＩＤのうちの第１ネットワークＩＤに対応する無線通信ネットワークに対する選択コマンドを受信すると、前記第１ネットワークＩＤを乗せたネットワーク選択通知を前記サーバへ送信するステップと、を更に含むことを特徴とする請求項１に記載の情報伝送方法。
【請求項５】
現在検出された通信事業者の無線通信ネットワークの少なくとも一つのネットワークＩＤを取得するための取得モジュールと、
現在利用しているＳＩＭカードのネットワークＩＤが、前記取得された少なくとも一つのネットワークＩＤのいずれとも異なり、かつ前記少なくとも一つのネットワークＩＤに対応する前記無線通信ネットワークに対する前記ＳＩＭカードの身元情報と暗号化データがローカルに記憶されていなければ、ローカリティがローミング状態であると判定し、取得された少なくとも一つのネットワークＩＤを乗せたＳＩＭカード情報要求をサーバへ送信するための送信モジュールと、
前記少なくとも一つのネットワークＩＤのうちの第１ネットワークＩＤに対応する無線通信ネットワークに対する第１ＳＩＭカードの身元情報及び暗号化データを前記サーバから受信するための受信モジュールと、
前記第１ＳＩＭカードの前記身元情報及び前記暗号化データにより前記第１ネットワークＩＤに対応する無線通信ネットワークに加入することで、情報伝送を行うための伝送モジュールと、を備えることを特徴とする端末。
【請求項６】
前記取得モジュールは、
自己位置が変化し、かつ変化距離が予め設定された閾値を超えたことが検出されると、現在検出された通信事業者の無線通信ネットワークの少なくとも一つのネットワークＩＤを取得することを特徴とする請求項５に記載の端末。
【請求項７】
前記取得モジュールは、
予め設定された検出周期に達すると、現在検出された通信事業者の無線通信ネットワークの少なくとも一つのネットワークＩＤを取得することを特徴とする請求項５に記載の端末。
【請求項８】
前記受信モジュールは、さらに、
前記少なくとも一つのネットワークＩＤに対応する無線通信ネットワークのプロパティ情報を前記サーバから受信し、
前記少なくとも一つのネットワークＩＤに対応する前記無線通信ネットワークのプロパティ情報を表示し、
前記送信モジュールは、さらに、
前記少なくとも一つのネットワークＩＤのうちの第１ネットワークＩＤに対応する無線通信ネットワークに対する選択コマンドを受信すると、前記第１ネットワークＩＤを乗せた前記ネットワーク選択通知を前記サーバへ送信することを特徴とする請求項５に記載の端末。
【請求項９】
プロセッサと、
前記プロセッサの実行可能なコマンドを記憶するためのメモリと、を備え、
前記プロセッサは、
現在検出された通信事業者の無線通信ネットワークの少なくとも一つのネットワークＩＤを取得し、
現在利用しているＳＩＭカードのネットワークＩＤが前記取得された少なくとも一つのネットワークＩＤのいずれとも異なり、かつ前記少なくとも一つのネットワークＩＤに対応する前記無線通信ネットワークに対する前記ＳＩＭカードの身元情報と暗号化データがローカルに記憶されていなければ、ローカリティがローミング状態であると判定し、取得された前記少なくとも一つのネットワークＩＤを乗せたＳＩＭカード情報要求をサーバへ送信し、
前記少なくとも一つのネットワークＩＤのうちの第１ネットワークＩＤに対応する無線通信ネットワークに対する第１ＳＩＭカードの身元情報及び暗号化データを前記サーバから受信し、
前記第１ＳＩＭカードの前記身元情報及び前記暗号化データにより前記第１ネットワークＩＤに対応する無線通信ネットワークに加入することで、情報伝送を行うように配置されることを特徴とする端末。
【請求項１０】
情報伝送システムであって、
現在検出された通信事業者の無線通信ネットワークの少なくとも一つのネットワークＩＤを取得し、現在利用しているＳＩＭカードのネットワークＩＤが前記取得された少なくとも一つのネットワークＩＤのいずれとも異なり、かつ前記少なくとも一つのネットワークＩＤに対応する前記無線通信ネットワークに対する前記ＳＩＭカードの身元情報と暗号化データがローカルに記憶されていなければ、ローカリティがローミング状態であると判定し、取得された前記少なくとも一つのネットワークＩＤを乗せたＳＩＭカード情報要求をサーバへ送信し、前記少なくとも一つのネットワークＩＤのうちの第１ネットワークＩＤに対応する無線通信ネットワークに対する第１ＳＩＭカードの身元情報及び暗号化データを前記サーバから受信し、前記第１ＳＩＭカードの身元情報及び暗号化データにより前記第１ネットワークＩＤに対応する無線通信ネットワークに加入することで、情報伝送を行うための端末と、
移動端末から送信されたＳＩＭカード情報要求を受信し、前記少なくとも一つのネットワークＩＤから前記第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定し、前記第１ＳＩＭカードの身元情報及び暗号化データを前記移動端末へ送信するためのサーバと、を備えることを特徴とする情報伝送システム。
【請求項１１】
プロセッサに実行されることにより、請求項１から４のいずれか一項に記載の情報伝送方法を実施するプログラム。
【請求項１２】
請求項１１に記載のプログラムが記録された記録媒体。
【発明の詳細な説明】
【技術分野】
【０００１】
本発明はコンピュータ技術分野に関し、特に情報伝送方法、装置及びシステムに関する。
【背景技術】
【０００２】
移動端末技術の発展と伴って、移動端末は広く利用されるようになっており、人々の日常仕事、生活で最も重要なツールの一つになる。通信事業者は、海外旅行や出張に出かけた海外のユーザへ情報伝送サービスを提供するように国際ローミングサービスを提供する。
【０００３】
ユーザが国際ローミングサービスを開通した後、海外で情報伝送を行う際、移動端末は、ユーザのロケーションの無線通信ネットワークを介して、伝送すべき情報を移動端末のＳＩＭ（Ｓｕｂｓｃｒｉｂｅｒ Ｉｄｅｎｔｉｔｙ Ｍｏｄｕｌｅ、 加入者ＩＤモジュール）カードの属する無線通信ネットワークへ送信し、移動端末のＳＩＭカードの属する無線通信ネットワークによって伝送すべき情報を伝送処理する。
【発明の概要】
【発明が解決しようとする課題】
【０００４】
本発明は、関連技術にある問題を解決するために、情報伝送方法、装置及びシステムを提供する。前記技術案は下記である。
【課題を解決するための手段】
【０００５】
本発明の実施例の第１態様によれば、情報伝送方法を提供する。前記情報伝送方法は、
現在検出された通信事業者の無線通信ネットワークの少なくとも一つのネットワークＩＤを取得するステップと、
取得された少なくとも一つのネットワークＩＤを乗せたＳＩＭカード情報要求をサーバへ送信するステップと、
前記少なくとも一つのネットワークＩＤのうちの第１ネットワークＩＤに対応する無線通信ネットワークに対する第１ＳＩＭカードの身元情報及び暗号化データを前記サーバから受信するステップと、
前記第１ＳＩＭカードの身元情報及び暗号化データにより前記第１ネットワークＩＤに対応する無線通信ネットワークに加入することで、情報伝送を行うステップと、を含む。
【０００６】
好ましくは、取得された少なくとも一つのネットワークＩＤを乗せたＳＩＭカード情報要求をサーバへ送信するステップは、
現在利用しているＳＩＭカードのネットワークＩＤが、取得された少なくとも一つのネットワークＩＤのいずれとも異なる場合に、ローカリティがローミング状態であると判定するステップと、
ローカリティがローミング状態であると、取得された少なくとも一つのネットワークＩＤを乗せたＳＩＭカード情報要求をサーバへ送信するステップと、を含む。
【０００７】
好ましくは、現在利用しているＳＩＭカードのネットワークＩＤが、取得された少なくとも一つのネットワークＩＤのいずれとも異なる場合に、ローカリティがローミング状態であると判定するステップは、
現在利用しているＳＩＭカードのネットワークＩＤが、取得された少なくとも一つのネットワークＩＤのいずれとも異なり、かつ前記少なくとも一つのネットワークＩＤに対応する無線通信ネットワークに対するＳＩＭカードの身元情報と暗号化データがローカリティに記憶されていなければ、ローカリティがローミング状態であると判定するステップを含む。
【０００８】
好ましくは、現在検出された通信事業者の無線通信ネットワークの少なくとも一つのネットワークＩＤを取得するステップは、
自己位置が変化し、かつ変化距離が予め設定された閾値を超えたことが検出されると、現在検出された通信事業者の無線通信ネットワークの少なくとも一つのネットワークＩＤを取得するステップを含む。
【０００９】
好ましくは、現在検出された通信事業者の無線通信ネットワークの少なくとも一つのネットワークＩＤを取得するステップは、
予め設定された検出周期に達すると、現在検出された通信事業者の無線通信ネットワークの少なくとも一つのネットワークＩＤを取得するステップを含む。
【００１０】
好ましくは、前記方法は、さらに、
前記少なくとも一つのネットワークＩＤに対応する無線通信ネットワークのプロパティ情報をサーバから受信するステップと、
前記少なくとも一つのネットワークＩＤに対応する無線通信ネットワークのプロパティ情報を表示するステップと、
前記少なくとも一つのネットワークＩＤのうちの第１ネットワークＩＤに対応する無線通信ネットワークに対する選択コマンドを受信すると、前記第１ネットワークＩＤを乗せたネットワーク選択通知を前記サーバへ送信するステップと、を含む。
【００１１】
本発明の実施例の第２態様によれば、情報伝送方法を提供する。前記情報伝送方法は、
前記移動端末で取得された少なくとも一つのネットワークＩＤを乗せたＳＩＭカード情報要求を前記移動端末から受信するステップと、
前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するステップと、
前記第１ＳＩＭカードの身元情報及び暗号化データを前記移動端末へ送信するステップと、を含む。
【００１２】
好ましくは、前記方法は、さらに、
前記少なくとも一つのネットワークＩＤに対応する無線通信ネットワークのプロパティ情報を取得し、前記プロパティ情報を前記移動端末へ送信するステップと、
前記少なくとも一つのネットワークＩＤのうちの第１ネットワークＩＤを乗せたネットワーク選択通知を前記移動端末から受信するステップと、を含み、
前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するステップは、
前記ネットワーク選択通知に乗せられた第１ネットワークＩＤを取得し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するステップを含む。
【００１３】
本発明の実施例の第３態様によれば、端末を提供する。前記端末は、
現在検出された通信事業者の無線通信ネットワークの少なくとも一つのネットワークＩＤを取得するための取得モジュールと、
取得された少なくとも一つのネットワークＩＤを乗せたＳＩＭカード情報要求をサーバへ送信するための送信モジュールと、
前記少なくとも一つのネットワークＩＤのうちの第１ネットワークＩＤに対応する無線通信ネットワークに対する第１ＳＩＭカードの身元情報及び暗号化データを前記サーバから受信するための受信モジュールと、
前記第１ＳＩＭカードの身元情報及び暗号化データにより前記第１ネットワークＩＤに対応する無線通信ネットワークに加入することで、情報伝送を行うための伝送モジュールと、を備える。
【００１４】
好ましくは、前記送信モジュールは、
現在利用しているＳＩＭカードのネットワークＩＤが、取得された少なくとも一つのネットワークＩＤのいずれとも異なる場合に、ローカリティがローミング状態であると判定し、
ローカリティがローミング状態であると、前記取得された少なくとも一つのネットワークＩＤを乗せたＳＩＭカード情報要求をサーバへ送信するためのものである。
【００１５】
好ましくは、前記送信モジュールは、
現在利用しているＳＩＭカードのネットワークＩＤが、取得された少なくとも一つのネットワークＩＤのいずれとも異なり、かつ前記少なくとも一つのネットワークＩＤに対応する無線通信ネットワークに対するＳＩＭカードの身元情報と暗号化データがローカリティに記憶されていなければ、ローカリティがローミング状態であると判定するためのものである。
【００１６】
好ましくは、前記取得モジュールは、
自己位置が変化し、かつ変化距離が予め設定された閾値を超えたことが検出されると、現在検出された通信事業者の無線通信ネットワークの少なくとも一つのネットワークＩＤを取得するためのものである。
【００１７】
好ましくは、前記取得モジュールは、
予め設定された検出周期に達すると、現在検出された通信事業者の無線通信ネットワークの少なくとも一つのネットワークＩＤを取得するためのものである。
【００１８】
好ましくは、前記受信モジュールは、さらに、
前記少なくとも一つのネットワークＩＤに対応する無線通信ネットワークのプロパティ情報をサーバから受信し、
前記少なくとも一つのネットワークＩＤに対応する無線通信ネットワークのプロパティ情報を表示するためのものであり、
前記送信モジュールは、さらに、
前記少なくとも一つのネットワークＩＤのうちの第１ネットワークＩＤに対応する無線通信ネットワークに対する選択コマンドを受信すると、前記第１ネットワークＩＤを乗せたネットワーク選択通知を前記サーバへ送信するためのものである。
【００１９】
本発明の実施例の第４態様によれば、サーバを提供する。前記サーバは、
移動端末で取得された少なくとも一つのネットワークＩＤを乗せたＳＩＭカード情報要求を前記移動端末から受信するための受信モジュールと、
前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するための特定モジュールと、
前記第１ＳＩＭカードの身元情報及び暗号化データを前記移動端末へ送信するための送信モジュールと、を備える。
【００２０】
好ましくは、前記サーバは、さらに、
前記少なくとも一つのネットワークＩＤに対応する無線通信ネットワークのプロパティ情報を取得し、前記プロパティ情報を前記移動端末へ送信するための取得モジュールを備え、
前記受信モジュールは、さらに、
前記少なくとも一つのネットワークＩＤのうちの第１ネットワークＩＤを乗せたネットワーク選択通知を前記移動端末から受信するためのものであり、
前記特定モジュールは、
前記ネットワーク選択通知に乗せられた第１ネットワークＩＤを取得し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するためのものである。
【００２１】
本発明の実施例の第５態様によれば、情報伝送装置を提供する。前記情報伝送装置は、
プロセッサと、
プロセッサの実行可能なコマンドを記憶するためのメモリと、を備え、
前記プロセッサは、
現在検出された通信事業者の無線通信ネットワークの少なくとも一つのネットワークＩＤを取得し、
取得された少なくとも一つのネットワークＩＤを乗せたＳＩＭカード情報要求をサーバへ送信し、
前記少なくとも一つのネットワークＩＤのうちの第１ネットワークＩＤに対応する無線通信ネットワークに対する第１ＳＩＭカードの身元情報及び暗号化データを前記サーバから受信し、
前記第１ＳＩＭカードの身元情報及び暗号化データにより前記第１ネットワークＩＤに対応する無線通信ネットワークに加入することで、情報伝送を行うように配置される。
【００２２】
本発明の実施例の第６態様によれば、情報伝送装置を提供する。前記情報伝送装置は、
プロセッサと、
プロセッサの実行可能なコマンドを記憶するためのメモリと、を備え、
前記プロセッサは、
移動端末で取得された少なくとも一つのネットワークＩＤを乗せたＳＩＭカード情報要求を前記移動端末から受信し、
前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定し、
前記第１ＳＩＭカードの身元情報及び暗号化データを前記移動端末へ送信するように配置される。
【００２３】
本発明の実施例の第７の態様によれば、情報伝送システムを提供する。前記情報伝送システムは、
現在検出された通信事業者の無線通信ネットワークの少なくとも一つのネットワークＩＤを取得し、取得された少なくとも一つのネットワークＩＤを乗せたＳＩＭカード情報要求をサーバへ送信し、前記少なくとも一つのネットワークＩＤのうちの第１ネットワークＩＤに対応する無線通信ネットワークに対する第１ＳＩＭカードの身元情報及び暗号化データを前記サーバから受信し、前記第１ＳＩＭカードの身元情報及び暗号化データにより前記第１ネットワークＩＤに対応する無線通信ネットワークに加入することで、情報伝送を行うための端末と、
移動端末から送信されたＳＩＭカード情報要求を受信し、前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定し、前記第１ＳＩＭカードの身元情報及び暗号化データを前記移動端末へ送信するためのサーバと、を備える。
【発明の効果】
【００２４】
本発明の実施例で提供される技術案は、下記の有益効果を奏する。
【００２５】
本発明の実施例では、現在検出された少なくとも一つの通信事業者の無線通信ネットワークのネットワークＩＤを取得し、取得された少なくとも一つのネットワークＩＤを乗せたＳＩＭカード情報要求をサーバへ送信し、少なくとも一つのネットワークＩＤのうちの第１ネットワークＩＤに対応する無線通信ネットワークに対する第１ＳＩＭカードの身元情報及び暗号化データをサーバから受信し、第１ＳＩＭカードの身元情報及び暗号化データにより第１ネットワークＩＤに対応する無線通信ネットワークに加入することで、情報伝送を行う。その結果、移動端末は、現在所在地の無線通信ネットワークを通じて、伝送すべき情報を処理することができ、ユーザ所在地の無線通信ネットワークを通じて移動端末のＳＩＭカードが所属する無線通信ネットワークに伝送すべき情報を送って処理してもらう必要がなくなるので、ユーザの情報伝送の効率を向上させることができる。
【００２６】
理解すべきことは、上記の普通な記載と下記の詳細記載は単に例示的、解釈的なものに過ぎず、本発明を制限することができない。
【図面の簡単な説明】
【００２７】
ここの図面は明細書に併せて本発明の一部を構成し、本発明に該当する実施例を示し、明細書とともに本発明の原理を解釈するものである。図面において、
【図１】例示の実施例に示す情報伝送方法のフローチャートである。
【図２】例示の実施例に示す情報伝送方法のフローチャートである。
【図３】例示の実施例に示す情報伝送方法のフローチャートである。
【図４】例示の実施例に示すシステムブロック図である。
【図５】例示の実施例に示す端末の構成概略図である。
【図６】例示の実施例に示すサーバの構成概略図である。
【図７】例示の実施例に示すサーバの構成概略図である。
【図８】例示の実施例に示す端末の構成概略図である。
【図９】例示の実施例に示すサーバの構成概略図である。  上記図面によれば、本発明の明確な実施例が示されるが、下記にはより詳細に記載される。これらの図面及び文字記載は、任意の方式で本発明の思想範囲を制限するものではなく、特定の実施例を参照することによって当業者へ本発明の概念を説明するためのものである。
【発明を実施するための形態】
【００２８】
ここに、例示の実施例を詳しく説明するが、その例示は図面に示される。以下の記載は図面に関する場合に、別に示されない限り、異なる図面における同一数字が同一又は類似な要素を示す。以下の例示の実施例に記載の実施形態は、本発明と一致する全ての実施形態を代表するものではない。逆に、これらは単に添付の特許請求の範囲に詳細に記載されるような、本発明のいくつかの様態に一致する装置及び方法の例に過ぎない。
【００２９】
実施例１
本発明の実施例は、端末とサーバとによって実現可能な情報伝送方法を提供する。
【００３０】
図１に示すように、該方法で端末の処理プロセスは下記のステップを含んでもよい。
【００３１】
ステップ１０１では、現在検出された通信事業者の無線通信ネットワークの少なくとも一つのネットワークＩＤを取得する。
【００３２】
ステップ１０２では、取得された少なくとも一つのネットワークＩＤを乗せたＳＩＭカード情報要求をサーバへ送信する。
【００３３】
ステップ１０３では、少なくとも一つのネットワークＩＤのうちの第１ネットワークＩＤに対応する無線通信ネットワークに属する第１ＳＩＭカードの身元情報及び暗号化データをサーバから受信する。
【００３４】
ステップ１０４では、第１ＳＩＭカードの身元情報及び暗号化データにより第１ネットワークＩＤに対応する無線通信ネットワークに加入することで、情報伝送を行う。
【００３５】
図２に示すように、該方法でプロセッサの処理プロセスは下記のステップを含んでもよい。
【００３６】
ステップ２０１では、移動端末で取得された少なくとも一つのネットワークＩＤを乗せたＳＩＭカード情報要求を移動端末から受信する。
【００３７】
ステップ２０２では、少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、第１ネットワークＩＤに対する第１ＳＩＭカードの身元情報及び暗号化データを特定する。
【００３８】
ステップ２０３では、第１ＳＩＭカードの身元情報及び暗号化データを移動端末へ送信する。
【００３９】
本発明の実施例では、現在検出された少なくとも一つの通信事業者の無線通信ネットワークのネットワークＩＤを取得し、取得された少なくとも一つのネットワークＩＤを携えたＳＩＭカード情報要求をサーバへ送信し、サーバから送信された、少なくとも一つのネットワークＩＤのうちの第１ネットワークＩＤに対応する無線通信ネットワークに対する第１ＳＩＭカードの身元情報及び暗号化データを受信し、第１ＳＩＭカードの身元情報及び暗号化データにより第１ネットワークＩＤに対応する無線通信ネットワークに加入することで、情報伝送を行う。その結果、移動端末は、現在所在地の無線通信ネットワークを通じて、伝送すべき情報を処理することができ、ユーザ所在地の無線通信ネットワークを通じて移動端末のＳＩＭカードが所属する無線通信ネットワークに伝送すべき情報を送って処理してもらう必要がなくなるので、ユーザの情報伝送の効率を向上させることができる。
【００４０】
実施例２
本発明の実施例は、端末とサーバとによって実現可能な情報伝送方法を提供する。端末としては、情報伝送機能を有する端末、例えばモバイルフォンやタブレットＰＣ等の移動端末であってもよく、サーバとしては、あるアプリケーションのバックエンドサーバであってもよい。
【００４１】
図３に示すように、該方法での処理プロセスは下記のステップを含んでもよい。
【００４２】
ステップ３０１では、移動端末は、現在検出された通信事業者の無線通信ネットワークの少なくとも一つのネットワークＩＤを取得する。
【００４３】
実施において、移動端末は無線通信ネットワークの基地局から送信されたネットワーク信号を受信可能となり、ネットワーク信号を受信した後、該ネットワーク信号に対応する無線通信ネットワークのネットワークＩＤを取得することができる。移動端末は複数の通信事業者の無線通信ネットワークのネットワーク信号を受信することができ、さらに複数の通信事業者の無線通信ネットワークのネットワークＩＤを取得する。移動端末は、起動後に現在検出された通信事業者の無線通信ネットワークの少なくとも一つのネットワークＩＤを取得してもよいし、ユーザの検出コマンドを受信した後、現在検出された通信事業者の無線通信ネットワークの少なくとも一つのネットワークＩＤを取得してもよい。
【００４４】
好ましくは、上記ステップを実行するトリガ条件を設定してもよく、対応的に、ステップ３０１の処理プロセスとしては、自己位置が変化し、かつ変化距離が予め設定された閾値を超えたことが検出されると、移動端末が現在検出された少なくとも一つの通信事業者の無線通信ネットワークのネットワークＩＤを取得する。
【００４５】
実施において、移動端末では位置検出機能、例えば位置決め機能が予め設定されてもよい。移動端末は、自己のロケーションを検出し、自己位置が変化し、かつ変化距離が予め設定された閾値を超えたことが検出されると、現在検出された通信事業者の無線通信ネットワークの少なくとも一つのネットワークＩＤを取得することができる。移動端末は、起動するたびに、自己のロケーションを検出するするとともに、現在検出された位置と前回検出された位置とを比較して、自己位置が変化した変化距離を特定し、変化距離が予め設定された閾値を超えれば、現在検出された通信事業者の無線通信ネットワークの少なくとも一つのネットワークＩＤを取得することができる。移動端末は、ある時刻における自己のロケーションを基準ロケーションとし、予め設定された位置検出周期に達するたびに、自己の現在ロケーションを検出し、現在ロケーションと基準ロケーションとの変化距離を特定し、変化距離が予め設定された閾値を超えれば、現在検出された通信事業者の無線通信ネットワークの少なくとも一つのネットワークＩＤを取得するようにしてもよい。また、ユーザは、移動端末のロケーション設定画面に、あるロケーションを基準ロケーションとして設定しても良く、移動端末は、予め設定された位置検出周期に達するたびに、自己の現在ロケーションを検出し、現在ロケーションと基準ロケーションとの変化距離を特定することで、上記取得処理を行うようにしてもよい。
【００４６】
好ましくは、上記ステップを実行するトリガ条件を設定してもよく、対応的に、ステップ３０１の処理プロセスとしては、予め設定された検出周期に達すると、移動端末が現在検出された通信事業者の無線通信ネットワークの少なくとも一つのネットワークＩＤを取得する。
【００４７】
実施において、移動端末ではネットワークＩＤの検出周期を予め設定することができ、予め設定された検出周期に達するたびに、移動端末は、現在検出された無線通信ネットワークのネットワーク信号を検出して、これら無線通信ネットワークのネットワークＩＤを取得することができる。
【００４８】
ステップ３０２では、移動端末は、取得された少なくとも一つのネットワークＩＤを乗せたＳＩＭカード情報要求をサーバへ送信する。
【００４９】
実施において、ユーザは、ＳＩＭ（Ｓｕｂｓｃｒｉｂｅｒ Ｉｄｅｎｔｉｔｙ Ｍｏｄｕｌｅ、加入者ＩＤモジュール）カードの情報を取得するためのアプリケーションを移動端末にインストールすることができる。移動端末は、現在検出された通信事業者の無線通信ネットワークの少なくとも一つのネットワークＩＤを取得した後、該アプリケーションを介して、ＳＩＭカード情報要求をサーバへ送信することができる。当該ＳＩＭカード情報要求には、取得された全部のネットワークＩＤが乗せられてもよいし、取得された比較的に強い信号の若干の無線通信ネットワークのネットワークＩＤが乗せられてもよい。
【００５０】
好ましくは、移動端末は、先にローカリティでインストールされたＳＩＭカードのネットワークに対応する無線通信ネットワークが存在するか否かを判断することができ、対応的に、ステップ３０２の処理過程としては、現在利用しているＳＩＭカードのネットワークＩＤと取得された少なくとも一つのネットワークＩＤのいずれとも異なる場合、ローカリティがローミング状態であると判定し、ローカリティがローミング状態であると、取得された少なくとも一つのネットワークＩＤを乗せたＳＩＭカード情報要求をサーバへ送信するようにしてもよい。
【００５１】
実施において、移動端末は、現在検出された通信事業者の無線通信ネットワークの少なくとも一つのネットワークＩＤを取得した後、ローカリティでインストールされたＳＩＭカードのネットワークＩＤを取得し、さらに、取得されたネットワークＩＤに、ローカリティでインストールされたＳＩＭカードのネットワークＩＤが存在するか否かを検索することができる。取得されたネットワークＩＤにローカリティでインストールされたＳＩＭカードのネットワークＩＤが存在すれば、現在、ローカリティでインストールされたＳＩＭカードのネットワークＩＤに対応する無線ネットワークが存在することを意味し、ユーザはローカリティでインストールされたＳＩＭカードを介して情報伝送を行ってもよく、移動端末は、処理を実行しない。取得されたネットワークＩＤにローカリティでインストールされたＳＩＭカードのネットワークが存在しなければ、移動端末はＳＩＭカード情報要求をサーバへ送信することができる。
【００５２】
好ましくは、移動端末は、上記取得されたネットワークＩＤに対応する無線通信ネットワークに対するＳＩＭカードの身元情報と暗号化データがローカリティに記憶されているか否かを判断することができ、対応する処理過程としては、現在利用しているＳＩＭカードのネットワークＩＤと取得された少なくとも一つのネットワークＩＤのいずれとも異なり、かつ少なくとも一つのネットワークＩＤに対応する無線通信ネットワークに対するＳＩＭカードの身元情報と暗号化データがローカリティに記憶されていなければ、ローカリティがローミング状態であると判定するようにしてもよい。
【００５３】
実施において、移動端末ではＳＩＭカードがインストールされる以外に、あるネットワークＩＤに対応する無線通信ネットワークに対するＳＩＭカードの身元情報と暗号化データが記憶されることもでき、ＳＩＭカードの身元情報は、ＳＩＭカードの属する無線通信ネットワークのネットワークＩＤを含んでもよい。移動端末は、現在検出された通信事業者の無線通信ネットワークの少なくとも一つのネットワークＩＤを取得した後、ローカリティでインストールされたＳＩＭカードのネットワークＩＤ、及び記憶されたＳＩＭカードのネットワークＩＤを取得し、さらに、取得されたネットワークＩＤに、ローカリティでインストールされたＳＩＭカードのネットワークＩＤ又は記憶されたＳＩＭカードのネットワークＩＤが存在するか否かを検索することができる。取得されたネットワークＩＤにローカリティでインストールされたＳＩＭカードのネットワークＩＤ又は記憶されたＳＩＭカードのネットワークＩＤが存在すれば、移動端末は、処理を実行しない。取得されたネットワークＩＤにローカリティでインストールされたＳＩＭカードのネットワークが存在しなく、かつ記憶されたＳＩＭカードのネットワークＩＤが存在しなければ、移動端末はＳＩＭカード情報要求をサーバへ送信することができる。
【００５４】
ステップ３０３では、移動端末で取得された少なくとも一つのネットワークＩＤを乗せたＳＩＭカード情報要求を移動端末から受信する。
【００５５】
実施において、移動端末がＳＩＭカード情報要求をサーバへ送信した後、サーバは該ＳＩＭカード情報要求を受信する。サーバは、後続する処理を容易にするように、該ＳＩＭカード情報要求を解析して、その中のネットワークＩＤを取得することができる。
【００５６】
ステップ３０４では、サーバは、少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、第１ネットワークＩＤに対する第１ＳＩＭカードの身元情報及び暗号化データを特定する。
【００５７】
ＳＩＭカードの身元情報として、該ＳＩＭカードを標識するためのＩＤの情報であってもよく、ＳＩＭカードの身元情報として、ＩＭＳＩ（Ｉｎｔｅｒｎａｔｉｏｎａｌ Ｍｏｂｉｌｅ Ｓｕｂｓｃｒｉｂｅｒ Ｉｄｅｎｔｉｆｉｃａｔｉｏｎ Ｎｕｍｂｅｒ、国際移動電話加入者識別番号）とＩＣＣＩＤ（Ｉｎｔｅｇｒａｔｅ ｃｉｒｃｕｉｔ ｃａｒｄ ｉｄｅｎｔｉｔｙ、ＩＣカード識別コード）等を含んでもよい。ＳＩＭカードの暗号化データとして、ＳＩＭカードと通信事業者のサーバとの伝送データを暗号化するためのキーであってもよく、例えばＫＩ（Ｋｅｙ ｉｄｅｎｔｉｆｉｅｒ、認証キー）である。
【００５８】
実施において、サーバでは、複数のＳＩＭカードの身元情報及び暗号化データが予め記憶されるとともに、これらのＳＩＭカードの属する無線通信ネットワークのネットワークＩＤが対応付けて記憶され、ＳＩＭカードの身元情報及び暗号化データと属する無線通信ネットワークのネットワークＩＤとの対応関係が確立されるようにしてもよい。サーバはＳＩＭカード情報要求におけるネットワークＩＤを取得した後、これらのネットワークＩＤから第１ネットワークＩＤをランダムに選択してから、上記対応関係において第１ネットワークＩＤに対応する身元情報及び暗号化データを特定し、これらのＳＩＭカードの身元情報及び暗号化データから、利用すべきＳＩＭカードの身元情報及び暗号化データ（即ち第１ＳＩＭカードの身元情報及び暗号化データ）をランダムに選択することができる。
【００５９】
好ましくは、サーバは無線通信ネットワークのプロパティ情報を端末へ送信し、ユーザによって利用すべき無線ネットワークが選択されるようにしてもよく、対応する処理過程として、下記のステップを含んでもよい。
【００６０】
ステップ１として、サーバは、少なくとも一つのネットワークＩＤに対応する無線通信ネットワークのプロパティ情報を取得し、プロパティ情報を移動端末へ送信する。
【００６１】
実施において、サーバでは、さらに各無線通信ネットワークのプロパティ情報が記憶されてもよく、プロパティ情報として、無線通信ネットワークの名称と無線通信ネットワークの料金情報を含んでもよい。サーバは、ＳＩＭカード情報要求におけるネットワークＩＤを取得した後、これらのネットワークＩＤに対応する無線通信ネットワークのプロパティ情報をそれぞれ取得してから、プロパティ情報を移動端末へ送信することができる。
【００６２】
ステップ２として、移動端末は、サーバから送信された少なくとも一つのネットワークＩＤに対応する無線通信ネットワークのプロパティ情報を受信する。
【００６３】
ステップ３として、移動端末は、少なくとも一つのネットワークＩＤに対応する無線通信ネットワークのプロパティ情報を表示する。
【００６４】
実施において、移動端末は、サーバから送信された少なくとも一つのネットワークＩＤに対応する無線通信ネットワークのプロパティ情報を受信した後、上記少なくとも一つのネットワークＩＤに対応する無線通信ネットワークの名称と料金情報を取得するとともに、無線通信ネットワークの名称と料金情報を対応付けて表示することができる。
【００６５】
ステップ４として、少なくとも一つのネットワークＩＤのうちの第１ネットワークＩＤに対応する無線通信ネットワークに対する選択コマンドを受信すると、移動端末は、第１ネットワークＩＤを乗せたネットワーク選択通知をサーバへ送信する。
【００６６】
実施において、移動端末で少なくとも一つの無線通信ネットワークの名称及び対応する料金情報を表示した後、ユーザは、自分の需要に応じて、利用希望の無線通信ネットワーク（即ち第１ネットワークＩＤに対応する無線通信ネットワーク）を選択してもよく、例えば、ユーザはある無線通信ネットワークに対応するオプションをクリックして、この無線通信ネットワークを選択してもよい。移動端末は、ユーザが無線通信ネットワークを選択した後、第１ネットワークＩＤに対応する無線通信ネットワークに対する選択コマンドを受信し、さらに第１ネットワークＩＤを取得し、第１ネットワークＩＤをネットワーク選択通信に挿入してから、ネットワーク選択通信をサーバへ送信することができる。
【００６７】
ステップ５として、サーバは、少なくとも一つのネットワークＩＤのうちの第１ネットワークＩＤを乗せたネットワーク選択通知を移動端末から受信する。
【００６８】
ステップ６として、サーバは、ネットワーク選択通知に乗せられた第１ネットワークＩＤを取得し、予め記憶されたＳＩＭカードの身元情報及び暗号化データと、属する無線通信ネットワークのネットワークＩＤとの対応関係に基づいて、第１ネットワークＩＤに対する第１ＳＩＭカードの身元情報及び暗号化データを特定する。
【００６９】
実施において、サーバは移動端末から送信されたネットワーク選択通知を受信した後、このネットワーク選択通知を解析することができ、その乗せられた第１ネットワークＩＤを選択してから、ローカリティに記憶されたＳＩＭカードの身元情報及び暗号化データと、属する無線通信ネットワークのネットワークＩＤとの対応関係において、第１ネットワークＩＤに対するＳＩＭカードの身元情報及び暗号化データを特定し、これらのＳＩＭカードの身元情報及び暗号化データから、利用すべきＳＩＭカードの身元情報及び暗号化データ（即ち、第１ＳＩＭカードの身元情報及び暗号化データ）をランダムに選択してから、ステップ３０５を実行することができる。
【００７０】
ステップ３０５では、サーバは、第１ＳＩＭカードの身元情報及び暗号化データを移動端末へ送信する。
【００７１】
実施において、サーバは、第１ＳＩＭカードの身元情報及び暗号化データを特定した後、その後の処理を移動端末で行わせるように、第１ＳＩＭカードの身元情報及び暗号化データを移動端末へ送信してもよい。なお、サーバは、第１ＳＩＭカードのパスワード情報（例えば、ＰＩＮ（Ｐｅｒｓｏｎａｌ Ｉｄｅｎｔｉｆｉｃａｔｉｏｎ Ｎｕｍｂｅｒ、個人識別コード））を移動端末へ送信してもよい。
【００７２】
ステップ３０６では、移動端末は、少なくとも一つのネットワークＩＤのうちの第１ネットワークＩＤに対応する無線通信ネットワークに対する第１ＳＩＭカードの身元情報及び暗号化データをサーバから受信する。
【００７３】
実施において、サーバが第１ＳＩＭカードの身元情報及び暗号化データを移動端末へ送信すると、移動端末は、サーバから送信された第１ＳＩＭカードの身元情報及び暗号化データを受信してから、受信された第１ＳＩＭカードの身元情報及び暗号化データを記憶するようにしてもよい。移動端末は、第１ＳＩＭカードの身元情報及び暗号化データを移動端末のセキュリティチップに記憶させることができ、セキュリティチップとしては、ＳＥ（ｓｅｃｕｒｅ ｅｌｅｍｅｎｔ、安全素子）、ＴＥＥ（Ｔｒｕｓｔｅｄ Ｅｘｅｃｕｔｉｏｎ Ｅｎｖｉｒｏｎｍｅｎｔ、信頼可能な実行環境）及びＥＵＩＣＣ（Ｅｍｂｅｄｄｅｄ Ｕｎｉｖｅｒｓａｌ Ｉｎｔｅｇｒａｔｅｄ Ｃｉｒｃｕｉｔ Ｃａｒｄ、組み込み型ユニバーサル集積回路カード）等を含むが、これらに限定されるものではない。
【００７４】
ステップ３０７では、移動端末は、第１ＳＩＭカードの身元情報及び暗号化データにより第１ネットワークＩＤに対応する無線通信ネットワークに加入することで、情報伝送を行う。
【００７５】
実施において、ＳＩＭカードごとに対応する文字列が予め設定され、移動端末はＳＩＭカードの身元情報を受信した後、そのうちから該ＳＩＭカードに対応する文字列を取得することができ、その後、暗号化データ及び上記アプリケーションに予め設定された暗号化アルゴリズムにより該文字列を暗号化処理し、さらに、該ＳＩＭカードの身元情報及び暗号化された文字列を該ＳＩＭカードの属する無線通信ネットワーク（即ち第１ネットワークＩＤに対応する無線通信ネットワークで、ｎｅｔ１と呼ばれる）のネットワークサーバへ送信することができる。ネットワークサーバは、これらの情報を受信した後、該ＳＩＭカードの身元情報に基づいて、ローカリティのデータベースにおいて該ＳＩＭカードに対応する文字列を特定してから、ローカリティの暗号化データ及び予め設定された暗号化アルゴリズムによって該文字列を暗号化処理し、さらにローカリティの暗号化された文字列と受信された暗号化された文字列とが同一であるか否かについて比較し、両者が同一である場合には、移動端末が該ＳＩＭカードを介してｎｅｔ１に加入することを許容し、両者が同一ではない場合には、移動端末が該ＳＩＭカードを介してｎｅｔ１に加入することを拒絶するようにしてもよい。図４に示すように、本発明における実施例のシステムブロック図で、端末、サーバ及びｎｅｔ１を備える。
【００７６】
説明すべきことは、技術者は、上記処理を行うように、移動端末で対応する処理部材を予め設けることができる。移動端末は第１ネットワークＩＤに対応する無線通信ネットワークに加入した後、該無線通信ネットワークを介して情報伝送を行うことができ、例えば、ウェブ情報を閲覧し、データのダウンロードや移動通信を行う等である。このように、ユーザの情報伝送中に生じるトラフィック料金と通信料金については、ユーザ所在地の料金標準によって課金することができる。
【００７７】
本発明の実施例では、現在検出された少なくとも一つの通信事業者の無線通信ネットワークの少なくとも一つのネットワークＩＤを取得し、取得された少なくとも一つのネットワークＩＤを携えたＳＩＭカード情報要求をサーバへ送信し、サーバから送信された、少なくとも一つのネットワークＩＤのうちの第１ネットワークＩＤに対応する無線通信ネットワークに対する第１ＳＩＭカードの身元情報及び暗号化データを受信し、第１ＳＩＭカードの身元情報及び暗号化データにより第１ネットワークＩＤに対応する無線通信ネットワークに加入することで、情報伝送を行う。その結果、移動端末は、現在所在地の無線通信ネットワークを通じて、伝送すべき情報を処理することができ、ユーザ所在地の無線通信ネットワークを通じて移動端末のＳＩＭカードが所属する無線通信ネットワークに伝送すべき情報を送って処理してもらう必要がなくなるので、ユーザの情報伝送の効率を向上させることができる。
【００７８】
実施例３
同様な技術思想によれば、本発明の実施例では、図５に示すように、取得モジュール５１０、送信モジュール５２０、受信モジュール５３０及び伝送モジュール５４０を備える端末が更に提供される。
【００７９】
取得モジュール５１０は、現在検出された通信事業者の無線通信ネットワークの少なくとも一つのネットワークＩＤを取得するためのものであり、
送信モジュール５２０は、取得された少なくとも一つのネットワークＩＤを乗せたＳＩＭカード情報要求をサーバへ送信するためのものであり、
受信モジュール５３０は、前記少なくとも一つのネットワークＩＤのうちの第１ネットワークＩＤに対応する無線通信ネットワークに対する第１ＳＩＭカードの身元情報及び暗号化データを前記サーバから受信するためのものであり、
伝送モジュール５４０は、前記第１ＳＩＭカードの身元情報及び暗号化データにより前記第１ネットワークＩＤに対応する無線通信ネットワークに加入することで、情報伝送を行うためのものである。
【００８０】
好ましくは、前記送信モジュール５２０は、
現在利用しているＳＩＭカードのネットワークＩＤと取得された少なくとも一つのネットワークＩＤのいずれとも異なる場合、ローカリティがローミング状態であると判定し、
ローカリティがローミング状態であると、取得された少なくとも一つのネットワークＩＤを乗せたＳＩＭカード情報要求をサーバへ送信するためのものである。
【００８１】
好ましくは、前記送信モジュール５２０は、
現在利用しているＳＩＭカードのネットワークＩＤと取得された少なくとも一つのネットワークＩＤのいずれとも異なり、かつ前記少なくとも一つのネットワークＩＤに対応する無線通信ネットワークに対するＳＩＭカードの身元情報と暗号化データがローカリティに記憶されていなければ、ローカリティがローミング状態であると判定するためのものである。
【００８２】
好ましくは、前記取得モジュール５１０は、
自己位置が変化し、かつ変化距離が予め設定された閾値を超えたことが検出されると、現在検出された通信事業者の無線通信ネットワークの少なくとも一つのネットワークＩＤを取得するためのものである。
【００８３】
好ましくは、前記取得モジュール５１０は、
予め設定された検出周期に達すると、現在検出された通信事業者の無線通信ネットワークの少なくとも一つのネットワークＩＤを取得するためのものである。
【００８４】
好ましくは、前記受信モジュール５３０は、さらに、
サーバから送信された前記少なくとも一つのネットワークＩＤに対応する無線通信ネットワークのプロパティ情報を受信し、
前記少なくとも一つのネットワークＩＤに対応する無線通信ネットワークのプロパティ情報を表示するためのものであり、
前記送信モジュール５２０は、さらに、
前記少なくとも一つのネットワークＩＤのうちの第１ネットワークＩＤに対応する無線通信ネットワークに対する選択コマンドを受信すると、前記第１ネットワークＩＤを乗せたネットワーク選択通知を前記サーバへ送信するためのものである。
【００８５】
同様な技術思想によれば、本発明の実施例では、図６に示すように、受信モジュール６１０、特定モジュール６２０、及び送信モジュール６３０を備えるサーバが更に提供される。
【００８６】
受信モジュール６１０は、前記移動端末で取得された少なくとも一つのネットワークＩＤを乗せたＳＩＭカード情報要求を前記移動端末から受信するためのものであり、
特定モジュール６２０は、前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するためのものであり、
送信モジュール６３０は、前記第１ＳＩＭカードの身元情報及び暗号化データを前記移動端末へ送信するためのものである。
【００８７】
好ましくは、図７に示すように、前記サーバは、さらに、
前記少なくとも一つのネットワークＩＤに対応する無線通信ネットワークのプロパティ情報を取得し、前記プロパティ情報を前記移動端末へ送信するための取得モジュール６４０を備え、
前記受信モジュール６１０は、さらに、
前記移動端末から送信された、前記少なくとも一つのネットワークＩＤのうちの第１ネットワークＩＤを乗せたネットワーク選択通知を受信するためのものであり、
前記特定モジュール６２０は、
前記ネットワーク選択通知に乗せられた第１ネットワークＩＤを取得し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するためのものである。
【００８８】
上記実施例における端末及びサーバについて、各モジュールが操作を実行する具体的方式は、該方法に関する実施例において詳しく記載されたが、ここに詳細に説明しない。
【００８９】
本発明の実施例では、現在検出された通信事業者の無線通信ネットワークの少なくとも一つのネットワークＩＤを取得し、取得された少なくとも一つのネットワークＩＤを乗せたＳＩＭカード情報要求をサーバへ送信し、サーバから送信された、少なくとも一つのネットワークＩＤのうちの第１ネットワークＩＤに対応する無線通信ネットワークに対する第１ＳＩＭカードの身元情報及び暗号化データを受信し、第１ＳＩＭカードの身元情報及び暗号化データにより第１ネットワークＩＤに対応する無線通信ネットワークに加入することで、情報伝送を行う。その結果、移動端末は、現在所在地の無線通信ネットワークを通じて、伝送すべき情報を処理することができ、ユーザ所在地の無線通信ネットワークを通じて移動端末のＳＩＭカードが所属する無線通信ネットワークに伝送すべき情報を送って処理してもらう必要がなくなるので、ユーザの情報伝送の効率を向上させることができる。
【００９０】
実施例４
同様な技術思想によれば、本発明の実施例では、
現在検出された通信事業者の無線通信ネットワークの少なくとも一つのネットワークＩＤを取得し、取得された少なくとも一つのネットワークＩＤを乗せたＳＩＭカード情報要求をサーバへ送信し、前記少なくとも一つのネットワークＩＤのうちの第１ネットワークＩＤに対応する無線通信ネットワークに対する第１ＳＩＭカードの身元情報及び暗号化データを前記サーバから受信し、前記第１ＳＩＭカードの身元情報及び暗号化データにより前記第１ネットワークＩＤに対応する無線通信ネットワークに加入することで、情報伝送を行うための端末と、
移動端末から送信されたＳＩＭカード情報要求を受信し、前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定し、前記第１ＳＩＭカードの身元情報及び暗号化データを前記移動端末へ送信するサーバと、を備える情報伝送を行うシステムが更に提供される。
【００９１】
本発明の実施例では、現在検出された通信事業者の無線通信ネットワークの少なくとも一つのネットワークＩＤを取得し、取得された少なくとも一つのネットワークＩＤを乗せたＳＩＭカード情報要求をサーバへ送信し、少なくとも一つのネットワークＩＤのうちの第１ネットワークＩＤに対応する無線通信ネットワークに対する第１ＳＩＭカードの身元情報及び暗号化データをサーバから受信し、第１ＳＩＭカードの身元情報及び暗号化データにより第１ネットワークＩＤに対応する無線通信ネットワークに加入することで、情報伝送を行う。その結果、移動端末は、現在所在地の無線通信ネットワークを通じて、伝送すべき情報を処理することができ、ユーザ所在地の無線通信ネットワークを通じて移動端末のＳＩＭカードが所属する無線通信ネットワークに伝送すべき情報を送って処理してもらう必要がなくなるので、ユーザの情報伝送の効率を向上させることができる。
【００９２】
実施例５
本発明の実施例では、端末の構成概略図が更に示される。この端末としては、モバイルフォン等であってもよい。
【００９３】
図８を参照し、端末８００は、処理部材８０２、メモリ８０４、電源部材８０６、マルチメディア部材８０８、オーディオ部材８１０、入力/出力（Ｉ/ Ｏ）インターフェース８１２、センサ部材８１４及び通信部材８１６のうちの一つまたは複数を備えてもよい。
【００９４】
処理部材８０２は一般的に、端末８００の全体操作、例えば表示、電話呼び、データ通信、カメラ操作及び記録操作に関連付けられる操作を制御する。処理部材８０２は、上記方法の全部または一部のステップを完了するように、一つまたは複数のプロセッサ８２０を備えてコマンドを実行するようにしてもよい。また、処理部材８０２は、他の部材との相互作用を容易にするように、一つまたは複数のモジュールを備えてもよい。例えば、処理部材８０２は、マルチメディア部材８０８との相互作用を容易にするように、マルチメディアモジュールを備えてもよい。
【００９５】
メモリ８０４は、各タイプのデータを記憶し、端末８００での操作をサポートするように配置される。これらのデータの例示として、端末８００で操作するための任意アプリケーションや方法のコマンド、連絡先データ、電話帳データ、情報、写真、ビデオ等を含む。メモリ８０４は、任意タイプの揮発性又は非揮発性の記憶装置又はこれらの組み合わせによって実現され、例えばスタティックＲＡＭ（ＳＲＡＭ）、電気的消去可能なプログラム可能ＲＯＭ（ＥＥＰＲＯＭ）、消去可能なＰＲＯＭ（ＥＰＲＯＭ）、プログラマブルＲＯＭ（ＰＲＯＭ）、読み取り専用メモリ（ＲＯＭ）、磁気メモリ、フラッシュメモリ、ディスク又は光ディスクである。
【００９６】
電力部材８０６は、端末８００の各部材へ電力を提供する。電力部材８０６は、電源管理システム、一つ又は複数の電源、及び他のオーディオ出力装置８００に対する電力の生成、管理、割り当てに関する部材を備えてもよい。
【００９７】
マルチメディア部材８０８は、前記端末８００とユーザとの間に出力インターフェースを提供するディスプレイを備える。いくつかの実施例において、ディスプレイは、液晶表示器（ＬＣＤ）とタッチパネル（ＴＰ）を備えてもよい。ディスプレイがタッチパネスを備える場合には、ディスプレイは、ユーザからの入力信号を受信するように、タッチパネルとして実現されることができる。タッチパネスは、タッチ、スライド及びタッチパネルにおけるジェスチャーを感知するように、一つ又は複数のタッチセンサを備える。前記タッチセンサは、タッチやスライド動作の境界だけでなく、前記タッチやスライドの操作に関する持続時間と圧力を感知することができる。いくつかの実施例において、マルチメディア部材８０８は、一つのフロントカメラ及び/又はリアカメラを備える。端末８００が操作モード、例えば撮影モードやビデオモードである場合には、フロントカメラ及び/又はリアカメラは、外部からのマルチメディアデータを受信することができる。各々のフロントカメラとリアカメラとしては、固定の光学レンズシステム、又は焦点距離及び光学ズーム能力を有するものであってもよい。
【００９８】
オーディオ部材８１０は、オーディオ信号を入力/出力するように配置される。例えば、オーディオ部材８１０は、一つのマイク（ＭＩＣ）を備え、マイクは、オーディオ出力装置８００が操作モード、例えばコールモード、記録モード及び音声認識モードである場合に、外部からのオーディオ信号を受信するように配置される。受信されたオーディオ信号は、さらにメモリ８０４に記憶され、又は通信部材８１６を介して送信されることができる。
【００９９】
Ｉ/Ｏインターフェース８１２は、処理部材８０２と周辺インターフェースモジュールとの間にインターフェースを提供し、上記周辺インターフェースモジュールとして、キーボード、クリックホイール、ボタン等であってもよい。これらのボタンは、ホームページボタン、音量ボタン、起動ボタン及びロックボタンを含むが、これらに限定されるものではない。
【０１００】
センサ部材８１４は、端末８００へ様々な面での状態評価を提供するように、一つ又は複数のセンサを備える。例えば、センサ部材８１４は、端末８００のオン/オフ状態、部材の相対位置を検出することができ、例えば前記部材が端末８００の表示器及びキーパッドであり、センサ部材８１４は、端末８００又は端末８００の一つの部材の位置変化、ユーザと端末８００との接触の存在又は不存在、端末８００の方位又は加速/減速及び端末８００の温度変化を検出することができる。センサ部材８１４は、何ら物理的な接触もない場合に近傍の物体の存在を検出するように配置される近接センサを備えてもよい。センサ部材８１４は、イメージングアプリに用いるように、光センサ、例えばＣＭＯＳ又はＣＣＤ画像センサを備えてもよい。いくつかの実施例において、該センサ部材８１４は、加速度センサ、ジャイロスコープセンサ、磁気センサ、圧力センサ又は温度センサを備えてもよい。
【０１０１】
通信部材８１６は、端末８００と他の装置との有線又は無線による通信に寄与するように配置される。端末８００には、通信規格、例えばＷｉＦｉ，２Ｇや３Ｇ、又はそれらの組み合わせによる無線ネットワークが接続されることができる。一つの例示の実施例において、通信部材８１６は、放送チャンネルを介して外部放送管理システムからの放送信号又は放送関連情報を受信する。一つの例示の実施例において、前記通信部材８１６は、近距離通信を促すように、近距離通信（ＮＦＣ）モジュールをさらに備える。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及び他の技術によって実現されることができる。
【０１０２】
例示の実施例において、端末８００は、一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサデバイス又は他の電子素子によって実現され、上記方法を実行するためのものである。
【０１０３】
例示の実施例において、コマンドを含む非一時的なコンピュータ読取可能な記憶媒体がさらに提供され、例えばコマンドを含むメモリ８０４であり、上記コマンドが上記方法を完了するように、端末８００のプロセッサ８２０によって実行されることができる。例えば、前記非一時的なコンピュータ読取可能な記憶媒体として、ＲＯＭ、ランダムアクセスメモリ（ＲＡＭ）、ＣＤ-ＲＯＭ、テープ、フレキシブルディスク及び光データ保存装置等であってもよい。
【０１０４】
コマンドが端末のプロセッサによって実行される場合、端末を情報伝送方法を実行させる非一時的なコンピュータ読取可能な記憶媒体であって、該方法は、
現在検出された少なくとも一つの通信事業者の無線通信ネットワークのネットワークＩＤを取得するステップと、
取得された少なくとも一つのネットワークＩＤを乗せたＳＩＭカード情報要求をサーバへ送信するステップと、
前記少なくとも一つのネットワークＩＤのうちの第１ネットワークＩＤに対応する無線通信ネットワークに対する第１ＳＩＭカードの身元情報及び暗号化データを前記サーバから受信するステップと、
前記第１ＳＩＭカードの身元情報及び暗号化データにより前記第１ネットワークＩＤに対応する無線通信ネットワークに加入することで、情報伝送を行うステップと、を含む。
【０１０５】
好ましくは、取得された少なくとも一つのネットワークＩＤを乗せたＳＩＭカード情報要求をサーバへ送信するステップは、
現在利用しているＳＩＭカードのネットワークＩＤと取得された少なくとも一つのネットワークＩＤのいずれとも異なる場合、ローカリティがローミング状態であると判定するステップと、
ローカリティがローミング状態であると、取得された少なくとも一つのネットワークＩＤを乗せたＳＩＭカード情報要求をサーバへ送信するステップと、を含む。
【０１０６】
好ましくは、現在利用しているＳＩＭカードのネットワークＩＤと取得された少なくとも一つのネットワークＩＤのいずれとも異なる場合、ローカリティがローミング状態であると判定するステップは、
現在利用しているＳＩＭカードのネットワークＩＤと取得された少なくとも一つのネットワークＩＤのいずれとも異なり、かつ前記少なくとも一つのネットワークＩＤに対応する無線通信ネットワークに対するＳＩＭカードの身元情報と暗号化データがローカリティに記憶されていなければ、ローカリティがローミング状態であると判定するステップを含む。
【０１０７】
好ましくは、現在検出された通信事業者の無線通信ネットワークの少なくとも一つのネットワークＩＤを取得するステップは、
自己位置が変化し、かつ変化距離が予め設定された閾値を超えたことが検出されると、現在検出された通信事業者の無線通信ネットワークの少なくとも一つのネットワークＩＤを取得するステップを含む。
【０１０８】
好ましくは、現在検出された通信事業者の無線通信ネットワークの少なくとも一つのネットワークＩＤを取得するステップは、
予め設定された検出周期に達すると、現在検出された通信事業者の無線通信ネットワークの少なくとも一つのネットワークＩＤを取得するステップを含む。
【０１０９】
好ましくは、前記方法は、
サーバから送信された前記少なくとも一つのネットワークＩＤに対応する無線通信ネットワークのプロパティ情報を受信するステップと、
前記少なくとも一つのネットワークＩＤに対応する無線通信ネットワークのプロパティ情報を表示するステップと、
前記少なくとも一つのネットワークＩＤのうちの第１ネットワークＩＤに対応する無線通信ネットワークに対する選択コマンドを受信すると、前記第１ネットワークＩＤを乗せたネットワーク選択通知を前記サーバへ送信するステップと、を含む。
【０１１０】
本発明の実施例では、現在検出された通信事業者の無線通信ネットワークの少なくとも一つのネットワークＩＤを取得し、取得された少なくとも一つのネットワークＩＤを乗せたＳＩＭカード情報要求をサーバへ送信し、少なくとも一つのネットワークＩＤのうちの第１ネットワークＩＤに対応する無線通信ネットワークに対する第１ＳＩＭカードの身元情報及び暗号化データをサーバから受信し、第１ＳＩＭカードの身元情報及び暗号化データにより第１ネットワークＩＤに対応する無線通信ネットワークに加入することで、情報伝送を行う。その結果、移動端末は、現在所在地の無線通信ネットワークを通じて、伝送すべき情報を処理することができ、ユーザ所在地の無線通信ネットワークを通じて移動端末のＳＩＭカードが所属する無線通信ネットワークに伝送すべき情報を送って処理してもらう必要がなくなるので、ユーザの情報伝送の効率を向上させることができる。
【０１１１】
実施例６
図９は例示の実施例に示す利用記録を表示するための装置１９００のブロック図である。例えば、装置１９００はサーバとして提供されることができる。図９を参照し、装置１９００は、一つ又は複数のプロセッサを備える処理部材１９２２と、処理部材１９２２によって実行可能なコマンド、例えばアプリケーションを記憶するための、メモリ１９３２で代表されるメモリリソースとを備える。メモリ１９２２に記憶されるアプリケーションは、一つ又は一つ以上の、毎に一組コマンドに対応するモジュールを含んでもよい。また、処理部材１９２２は、コマンドを実行することで、上記利用記録を表示する方法を実行するように配置される。
【０１１２】
装置１９００は、装置１９００の電源管理を実行するように配置される一つの電源部材１９２６と、装置１９００をネットワークに接続させるように配置される一つの有線又は無線のネットワークインターフェース１９５０と、入力/出力（Ｉ/Ｏ）インターフェース１９５８と、を備えてもよい。装置１９００は、メモリ１９３２に記憶されたオペレーティングシステム、例えばＷｉｎｄｏｗｓ ＳｅｒｖｅｒＴＭ、Ｍａｃ ＯＳ ＸＴＭ、ＵｎｉｘＴＭ、 ＬｉｎｕｘＴＭ、ＦｒｅｅＢＳＤＴＭ又は類似なものを操作することができる。
【０１１３】
装置１９００は、メモリと、メモリに記憶された一つ又は一つ以上のプログラムとを備え、一つ又は一つ以上のプロセッサによって前記一つ又は一つ以上のプログラムに含まれる下記操作を行うコマンドを実行するように配置される。
【０１１４】
前記移動端末で取得された少なくとも一つのネットワークＩＤを乗せたＳＩＭカード情報要求を前記移動端末から受信し、
前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定し、
前記第１ＳＩＭカードの身元情報及び暗号化データを前記移動端末へ送信する。
【０１１５】
好ましくは、前記方法は、さらに、
前記少なくとも一つのネットワークＩＤに対応する無線通信ネットワークのプロパティ情報を取得し、前記プロパティ情報を前記移動端末へ送信するステップと、
前記少なくとも一つのネットワークＩＤのうちの第１ネットワークＩＤを乗せたネットワーク選択通知を前記移動端末から受信するステップと、を含み、
前記少なくとも一つのネットワークＩＤから第１ネットワークＩＤを選択し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するステップは、
前記ネットワーク選択通知に乗せられた第１ネットワークＩＤを取得し、予め記憶されたＳＩＭカードの身元情報及び暗号化データと、属する無線通信ネットワークのネットワークＩＤとの対応関係に基づいて、前記第１ネットワークＩＤに対する第１ＳＩＭカードの身元情報及び暗号化データを特定するステップを含む。
【０１１６】
本発明の実施例では、現在検出された通信事業者の無線通信ネットワークの少なくとも一つのネットワークＩＤを取得し、取得された少なくとも一つのネットワークＩＤを乗せたＳＩＭカード情報要求をサーバへ送信し、少なくとも一つのネットワークＩＤのうちの第１ネットワークＩＤに対応する無線通信ネットワークに対する第１ＳＩＭカードの身元情報及び暗号化データをサーバから受信し、第１ＳＩＭカードの身元情報及び暗号化データにより第１ネットワークＩＤに対応する無線通信ネットワークに加入することで、情報伝送を行う。その結果、移動端末は、現在所在地の無線通信ネットワークを通じて、伝送すべき情報を処理することができ、ユーザ所在地の無線通信ネットワークを通じて移動端末のＳＩＭカードが所属する無線通信ネットワークに伝送すべき情報を送って処理してもらう必要がなくなるので、ユーザの情報伝送の効率を向上させることができる。
【０１１７】
当業者は、明細書を考慮し、かつここに開示の発明を実践した後、本発明の他の実施方案を容易に想到する。本願は本発明の任意変形、用途又は適応的変化をカバーすることを目的とする。これらの変形、用途又は適応的変化は、本発明の一般的原理に従うとともに、本発明に開示されない当分野で公知常識又は汎用技術手段を含む。明細書及び実施例は単に例示のものとみなすが、本発明の実質的範囲及び精神は下記の特許請求の範囲に指摘される。
【０１１８】
理解すべきステップとして、本発明は、上記記載され、かつ図面に示す正確な構成に限定されるものではなく、要旨を逸脱しない範囲において様々な補正及び変更が可能である。本発明の範囲は添付の特許請求の範囲のみに制限される。
【０１１９】
本願は、出願番号が２０１５１０２０２３１９.７で、出願日が２０１５年４月２４日である中国特許出願に基づいて提出するとともに、該中国特許出願の優先権を要求するものである。該中国特許出願の全部内容はここに参考として引用される。
【図１】
0006509331.tif 000002
【図２】
0006509331.tif 000003
【図３】
0006509331.tif 000004
【図４】
0006509331.tif 000005
【図５】
0006509331.tif 000006
【図６】
0006509331.tif 000007
【図７】
0006509331.tif 000008
【図８】
0006509331.tif 000009
【図９】
0006509331.tif 000010